(57)【要約】      （修正有）【課題】被装入物を装入する袋体が、一辺側を被装入物を出入させる開口部として、開放状態とした合成樹脂材のシートからなる中空の袋状で、開口部の内面側には、開口部を開閉自在にシールするための、雌型の係合突条と雄型の係合突条との組み合わせよりなるファスナーが装設してある食品等の包装袋において、開口部を開放させるために、袋体の開口部の内面側に付設せるファスナーを開放させるための操作・作動が簡単にかつ適確に行える食品等の包装袋の開口部に付設のファスナーの開閉装置を提供する。【解決手段】袋体の表面側及び裏面側の各外面側で、開口部の内面側に付設のファスナーに対し近接する部位に、合成樹脂材のシートを折り畳んで成形せる襞Ｄを、袋体の左右の巾方向に渡るように付設し、この付設の襞Ｄをそれぞれ摘んで、引き離す方向に引っ張ることによりファスナーの係合を解除させるようにする。【選択図】図７
0003205634.tif 000002
【実用新案登録請求の範囲】
【請求項１】
合成樹脂材よりなるシートの裁断加工により、形成しようとする包装袋の正面視における輪郭形状に対応する形状の、表面側のシートと裏面側のシートとを形成し、それら表面側及び裏面側のシートを二枚重ねに重ね、それらの周辺部の端縁を、開口部を形成する一辺を残して溶着しシールして中空の袋体に形成し、前記一辺は、袋体内に被装入物の装入後に接着端縁によりシールし、かつ、開口部における表面側及び裏面側の各シートの内面側には、断面凹型の雌型の係合突条と断面凸型の雄型の係合突条とからなるファスナーが袋体の巾方向に渡るように付設してある構成態様の食品等の包装袋において、袋体を構成する表面側及び裏面側のシートの各外面側には、袋体の左右の巾方向に渡る巾の合成樹脂材のシートの上下の中間部を弛ませその弛みを、側面視においてＶ字状に折り畳んで形成した巾方向に沿う襞を、該襞の根元部が、袋体の開口部の内面側に付設せるファスナーに対し近接して平行するように配位し、その襞の左右の端部を、袋体の表面側及び裏面側のシートの左右の側縁部に溶着して装設したことを特徴とする食品等の包装袋の開口部に付設のファスナーの開閉装置
【考案の詳細な説明】
【技術分野】
【０００１】
本考案は、合成樹脂材よりなるシートの裁断加工により、形成しようとする包装袋の正面視における輪郭形状に対応する形状の、表面側のシートと裏面側のシートを形成し、それら表面側及び裏面側のシートを二枚重ねに重ね合わせ、それの周辺部を、開口部が形成される一辺を残して、他の三辺を溶着によりシールして中空の袋体を形成し、その袋体の内部にシールせずに残した開口部から食品等を装入した後、開口部の口端縁を溶着してシールすることで食品等を密封して保存するようにした包装袋であって、それの開口部の内面側には、口縁を開放状態としたときにおける袋体の内腔を気密に保持するための、開口部の端縁をシールする接着端縁を切除して開口部の断面凹型の係合突条と断面凸型の係合突条とからなるファスナーが装設してある構成形態の食品等の包装袋において、開口部の内面側に設けたファスナーを開放するための開放手段についての改良に関する。
【背景技術】
【０００２】
生産し精製した煎茶を装入して密封し、袋詰めの煎茶として市販されている合成樹脂材のシートからなる煎茶の包装袋を具体例として、図面に従い具体的に説明すると、図１は、煎茶を封入した上述の形態の包装袋Ａを示している。
【０００３】
この包装袋Ａは、合成樹脂材により気密なフィルム状に成形したシートを、形成しようとする包装袋の形状に適合する形状である例えば上下に長い長方形状（この例においては、横１２ｃｍ、縦２２ｃｍの長方形）に裁断加工して、該包装袋Ａの表面側となる表面側シートａと、同上の包装袋Ａの裏面側となる裏面側シートｂとを形成し、これらを二枚重ねに重合して、辺縁部分を溶着しその接着端縁ｃによりシールし、中空の袋体１に形成するが、それの辺縁部の溶着の際、内部に挿入する煎茶等の挿入口及び取出口とする開口部Ｂを形成するために、上辺側の辺縁部は溶着せずに、この辺縁部を除いた他の辺縁部を溶着してシールし、これにより上辺側の辺縁部が開口部Ｂとして開放する中空の袋体１に形成する。
【０００４】
そして、この袋体１の内部空間に、包装しようとする煎茶等を、前述の開口部Ｂから装入し、所定量の装入が終えたところで、開口部Ｂの口縁部を溶着してそれによる接着端縁ｄにより開口部をシールし、挿入した煎茶等を密封包装するようにする。
【０００５】
この密封包装した煎茶等は、図２及び図３に示している如く、上辺の辺縁部の口縁を溶着した帯状の接着端縁ｄのすぐ下方の部位で、図２において鎖線で示している部位に鋏をいれるなどにより、上辺側の接着端縁ｄを、袋体１から切除して、上辺側を再び開放した状態として、その開放した開口部Ｂから被装入物が外部に取り出されるようにする。
【０００６】
しかして、この袋体１の上辺側の接着端縁ｄを切除することで開放した開口部Ｂからの、袋体１内に封入しておいた煎茶等の取り出しは、通常、その封入しておいた煎茶等の全量に対し一部の少量であり、大部分の煎茶等を袋体１内に残すようにするので、この袋体１内に残す煎茶等を気密に封じ込めて保存するため、袋体１の上辺側の開口部Ｂにおける表面側のシートａと裏面側のシートｂの各内面側には、図３及び図４・図５にあるように、外面側に凹溝２０を具備する縦断面が凹状をなす細巾の帯状乃至紐状の雌型の係合突条２と外面側に前記係合突条２の凹溝２０に対し係脱自在に嵌合する突起３０を具備する縦断面が凸条をなす細巾の帯状の雄型の係合突条３とよりなるファスナーｆが、係合突条２と係合突条３とに分けられて、袋体１の左右の巾方向における一方の端縁から他方の端縁の間に渡るように装設してあり、袋体１の上辺側の端縁の接着端縁ｄの切除により開放させた開口部Ｂを、この雌型の係合突条２と雄型の係合突条３との嵌合による係着によって閉じ合わせて気密にシールし、袋体１の内部に残した煎茶等の装入物を気密に封入した状態に保持し、変質のない状態で保存し得るようにしている。
【０００７】
この形態の食品等の包装袋Ａには、袋体１内に封入した食品類を取り出すために、袋体１の上辺側の端縁の接着端縁ｄを鋏等により切除するときは、袋体１の上辺側の端縁の接着端縁ｄと、袋体１の表面側のシートａ及び裏面側のシートｂの各内面側に設けてある係合突条２と係合突条３とからなるファスナーｆとの間において、鋏等による切除を接着端縁ｄに沿い正しく行って、係合突条２・３よりなるファスナーｆには破損を生ぜしめないようにすることが必要である。
【０００８】
また、袋体１の上辺側の開口部Ｂを開放して、袋体１内に封入してある煎茶等の装入物を取り出すためには、鋏等により袋体１の上辺側の接着端縁ｄを切除した後に、さらに、互いに嵌合して係着しているファスナーｆの雌型の係合突条２と雄型の係合突条３との嵌合による係着を解除することが必要である。
【０００９】
しかして、このファスナーｆの係合突条２・３の係着の解放は、通常、図６に示しているように、鋏等のカッターによる上辺側の接着端縁ｄの切除で生成される袋体１の上端側の切り口に、指先の爪をかけて、その切り口における表面側のシートａと裏面側のシートｂとの合わせ目を探り出し、その切り口における袋体１の表面側のシートａと裏面側のシートｂの口縁部を指先で摘んで、その袋体１の表面側のシートａと裏面側のシートｂとを、互いに離反する方向に引っ張り、緊密に接合している表面側のシートａと裏面側のシートｂとを互いに引き放すようにすることで、ファスナーｆの係合突条２と係合突条３との係合を引き放すことにより行うようにしている。
【００１０】
このような構成態様としている食品等の包装袋Ａには、以下に述べる問題がある。第１には、包装袋Ａの上辺側の開口部Ｂを開放状態とするために、その開口部Ｂの解放口の端縁の接着端縁ｄを鋏等で切除する際、鋏等による切断除去を、接着端縁ｄの下縁に正しく沿わせて切断していくようにしなければならないことである。
【００１１】
鋏等のカッターにより、接着端縁ｄの下方において袋体１の一部のみに切れ目を入れ、端部の接着端縁ｄを強く引っ張って、切れ目を延長させ引き裂くようにして接着端縁ｄを除去しようとすると、裂け目がファスナーｆの係合突条２・３にまで及ぶようになる場合があり、これにより係合突条２・３よりなるファスナーｆの機能に損傷を与えるようになって、ファスナーｆによる密封を、以後不能とするだけでなく、切れ目の口縁で形成する取出口を不整な形状のものとして、取り出す煎茶等の散逸をきたすようになるからである。
【００１２】
第２には、煎茶等を外部に取り出すため開口部Ｂの開放は、包装袋Ａの上辺側の接着端縁ｄを鋏等で切除したときの切り口により形成される開口部Ｂの口縁を開くことで行うが、この開口部Ｂの口縁は、表面側のシートａと裏面側のシートｂとが、ファスナーｆの雌型の係合突条２と雄型の係合突条３とを係合させるための押圧により緊密に接合して殆ど一枚のシートの状態になっていることから、実際の開口部Ｂの開放作業は、この開口部Ｂの口縁部の切り口部位において、表面側のシートａの口縁と裏面側のシートｂの口縁との合わせ目を、指先で探り出して拡げ、それにより引き剥がした表面側及び裏面側の各シートａ・ｂの口縁を指先でそれぞれ摘んで、開く方向に引っ張ることで行う操作・作業となるが、この作業の際の、表面側のシートａの口縁と裏面側のシートｂの口縁との接合面の探り出しがむずかしく、かつ、ミスが多いことで手間と時間がかかる厄介なものとしている問題と、表面側のシートａの口縁と裏面側のシートｂの口縁との合わせ目を引き剥がしても、その引き剥がした部位が部分的で狭い範囲となることで、指先で摘むのが不確実なものとなるので、何度もやりなおさなければならず、時間のかかる厄介な操作としている問題がある。
【考案の概要】
【考案が解決しようとする課題】
【００１３】
本考案において解決しようとする点は、上述した問題を解消せしめる点にある。
【課題を解決するための手段】
【００１４】
この課題を解決するために本考案においては、合成樹脂材よりなるシートの裁断加工により、形成しようとする包装袋の正面視における輪郭形状に対応する形状の、表面側のシートと裏面側のシートとを形成し、それら表面側及び裏面側のシートを二枚重ねに重ね、それらの周辺部の端縁を、開口部を形成する一辺を残して溶着しシールして中空の袋体に形成し、前記一辺は、袋体内に被装入物の装入後に接着端縁によりシールし、かつ、開口部における表面側及び裏面側の各シートの内面側には、断面凹型の雌型の係合突条と断面凸型の雄型の係合突条とからなるファスナーが袋体の巾方向に渡るように付設してある構成態様の食品等の包装袋において、袋体を構成する表面側及び裏面側のシートの各外面側には、袋体の左右の巾方向に渡る巾の合成樹脂材のシートの上下の中間部を弛ませその弛みを、側面視においてＶ字状に折り畳んで形成した巾方向に沿う襞を、該襞の根元部が、袋体の開口部の内面側に付設せるファスナーに対し近接して平行するように配位し、その襞の左右の端部を、袋体の表面側及び裏面側のシートの左右の側縁部に溶着して装設したことを特徴とする食品等の包装袋の開口部に付設のファスナーの開閉装置を提起するものである。
【考案の効果】
【００１５】
本考案による包装袋の開口部の開放手段においては、包装袋の開口部の口縁をシールする接着端縁を、鋏等により切断して除去し、開口部の口縁の内面側に付設してあるファスナーの、雌型の係合突条と雄型の係合突条との係着を開放させて、開口部を開放させるときに、包装袋の表・裏の各外面側で、内面側に付設されているファスナーに対し近接する部位に、包装袋の外面を左右の巾方向に横切るように設けてある襞を左右の手の指先で摘んで、引き離す方向に引っ張れば、ファスナーの係着が解放して開口部が開放するようになるので、この開口部の開放が、簡単にかつ短い時間で行え、また、開口部の接着端縁を切断除去することで開口部の口縁に形成される切れ目における表・裏のシートの合わせ目を探り出す必要がないことから、接着端縁の鋏等による切除が、その接着端縁とファスナーとの間におけるどの位置で行われていても支障がないようになるので、接着部位の切断除去の作業操作が、気楽にかつ簡略に行えるようになる。
【図面の簡単な説明】
【００１６】
【図１】従前の包装袋の前面視の斜視図である。
【図２】同上包装袋の上辺の辺縁部の接着端縁を、鋏等により切断除去して、包装袋の開口部を開放させる操作・作業を説明するための説明図である。
【図３】同上包装袋の接着端縁を除去し、ファスナーを解放させて、開口部を開放させた状態の斜視図である。
【図４】同上包装袋の開口部の一部の斜視図である。
【図５】同上包装袋の開口部の縦断側面図である。
【図６】同上包装袋の、接着端縁を切除した切れ目を開く操作の説明図である。
【図７】本考案手段を実施せる包装袋の斜視図である。
【図８】同上包装袋の縦断側面図である。
【図９】同上包装袋の、ファスナーの係合を解放させるための操作を説明する斜視図である。
【図１０】本考案を実施せる包装袋の別の実施例の開口部の縦断側面図である。
【図１１】さらに別の実施例の開口部の縦断側面図である。
【図１２】さらに別の実施例の開口部の縦断側面図である。
【図１３】さらに別の実施例の一部を破断した斜視図である。
【図１４】同上実施例の襞の一部破断した斜視図である。
【考案を実施するための形態】
【００１７】
次に本考案の実施の形態を図面に従い詳述する。なお、実施例の構成部材の説明のために、構成部材を指示するよう使用する図面符号は、前述した従前手段の構成部材と同様の構成部材についえは同じ符号を用いるものとする。
【実施例１】
【００１８】
図７は、本考案手段を実施せる包装袋Ｓの、袋体１の内部に食品である煎茶を装入して、袋体１の上辺の端縁部分を接着端縁ｄによりシールし、装入した煎茶を密封包装した状態の前面側から見た斜視図である。
【００１９】
この図７において、ａは表面側のシート、ｂは裏面側のシートを示す。これら表面側及び裏面側のシートａ・ｂは、合成樹脂よりなるシートを、成形しようとする包装袋の輪郭形状と対応する形状に裁断加工して形成し、この表・裏のシートａ・ｂを二枚重ねに重ね合わせ、上辺側の端縁を除いた左右の側辺の端縁および底辺側の端縁を、熱溶着などの接着手段で溶着することで、上辺側が開口部Ｂとして開放する中空の袋体１を形成している。
【００２０】
合成樹脂材のシートから裁断加工により形成する表面側のシートａ及び裏面側のシートｂは、それぞれを各別に形成してよいものであるが、裁断加工の際、表面側のシートａと裏面側のシートｂとが、左右の一辺において連続する見開きの状態に裁断し、これを連続部位において折り畳むように折り返して、二枚重ねに重合する状態とするようにしてもよい。
【００２１】
袋体１の上辺側に形成する開口部Ｂは、密封保存しようとする食品である煎茶等の物品を、袋体１の内部空間に装入するための装入口となるものでその煎茶等の装入が終えたところで、開口部Ｂの口縁部は、溶着により形成される接着端縁ｄによってシールされ、煎茶等の装入した装入物品の密封保存が行われるようになる。
【００２２】
しかして、開口部Ｂは、装入した煎茶等の装入物品を取り出すときの取出口としても機能させているものであり、その取出口は、開口部Ｂの端縁をシールしている接着端縁ｄを切断除去して、開口部Ｂを開放状態に戻すことで形成される。
【００２３】
ｆは、開口部Ｂの端縁の接着端縁ｄを切断除去して開口部Ｂを開放状態としたときの、袋体１の内部空間の気密を保持せしめるために、開口部Ｂの内面側に付設せるファスナーであり、袋体１を構成している表面側のシートａの内面側に付設せる縦断面が凸型をなす雄型の係合突条３と、裏面側のシートｂの内面側に付設せる縦断面が凹型をなす雌型の係合突条２とからなり、雌型の係合突条２の外面側に設けた凹溝２０に対し、雄型の係合突条３の外面側に設けた突起３０が嵌入して互いに喰い合うよう嵌り合うことで、シール状態となり、係合突条２の凹溝２０から係合突条３の突起３０を引き離すことで、シールを解放するようになる通常のものである。
【００２４】
Ｄは、開口部Ｂの口縁部を破断除去して、開口部Ｂを開放状態とするときに、その開口部Ｂの内面側において、袋体１内の気密を保持するよう付設してあるファスナーの、係合突条２と係合突条３との嵌合係着を、解除させる作業操作が容易に行われるようにするために、包装袋Ｓの外面側に装設せる襞である。
【００２５】
この襞Ｄは、包装袋Ｓを、上下の方向の縦寸法が２２ｃｍで左右方向の横寸法が１２ｃｍの、長方形の輪郭形状のものに形成する場合についていえば、袋体１を形成する表面側のシートａ及び裏面側のシートｂを、合成樹脂材よりなる原反のシートから裁断加工により所定の形状寸法に形成するとき、左右方向の巾寸法である横寸法は、包装袋Ｓの横寸法の１２ｃｍに対応する１２ｃｍに設定するが、上下方向の長さ寸法である縦寸法にあっては、包装袋Ｓの縦寸法の２２ｃｍより数糎長い例えば２４ｃｍに設定しておき、この表面側のシートａと裏面側のシートｂとを二枚重ねに重ね、側辺および底辺の端縁部を、溶着による接着端縁ｄの形成により接着結合させて、上辺側が開口する中空の袋体１を構成するとき、その袋体１の縦寸法が所定寸法の２２ｃｍとなるようにすると、表・裏のシートａ・ｂには、上下の中間部に数糎（２糎）の弛みが生成されてくるようになる。
【００２６】
そして、この弛みを、上下方向において折り返すように折り畳むことで、図７および図８に示しているように、上下の巾が１糎程度で包装袋Ｓの左右の巾方向に渡る襞Ｄとなって、包装袋Ｓの表面側および裏面側における外面側に存在してくるようになる。また、このように存在してくる襞Ｄは、それの左右の両端部が、袋体１の側縁と重合して接着端縁ｃにより一体的に接着することで、該襞Ｄの内部空間の外部に対する気密を保持するようになる。
【００２７】
そこで、このようにして、表面側のシートａ及び裏面側のシートｂの、上下の中間部位により生成せしめる弛みによる襞Ｄを、該襞Ｄの根元部４０が、袋体１の内面側に付設せるファスナーｆの係合突条２・３に近接する位置を占め、該襞Ｄの先端側４１が、前記係合突条２・３との近接位置から袋体１の外面に沿い垂れ下がるように形成しておけば、包装袋Ｓの開口部Ｂの上辺側の接着端縁ｄを切断除去し、ファスナーｆの係合を解放させるとき、図９に示している如く、襞Ｄを、左右の手の指先で摘んで、それぞれを引き放す方向に引っ張ることで、ファスナーｆは、係合突条２と係合突条３との係合が外れて解放した状態となり、図１０に示しているように開口部Ｂを開放した状態とするから、開口部Ｂを開放する作業・操作を簡略なものとする。
【００２８】
なお、襞Ｄは、図１１に示している例の如く、襞Ｄの根元部４０が、包装袋Ｓの内面側に付設せるファスナーｆの下縁側に沿う位置を占め、先端側４１が前記位置から包装袋Ｓの外面に沿い垂下するように装設する場合、また、図１２に示している例の如く、襞Ｄが、ファスナーｆの近傍位置を占める根元部から包装袋Ｓの外面に沿い上下に向け立ち上がるように設ける場合がある。
【００２９】
また、この襞Ｄは、袋体１を構成する表面側のシートａ及び裏面側のシートｂとは別に、合成樹脂材のシートから、袋体１の左右の巾に対応する巾で、上下の長さ寸法が、袋体１の上下の長さ寸法よりも短い寸法のシートｇを形成して、このシートｇの上下の中間部位を弛ませ、その弛みを、図１４にあるように、側面視において狭い巾のＶ字型をなすよう折り畳み成形して、襞Ｄ’に形成しておき、これを、前記シートｇの上端側と下端側とを、表面側のシートａ及び裏面側のシートｂの外面に接合して接着し、襞Ｄ’の左右の両端部を表面側のシートａと裏面側のシートｂの側端縁の接着端縁ｃに一体的に溶着することで、包装袋Ｓの外面に装設するようにし、かつ、このとき、襞Ｄ’が前述した所定位置を占めるようにする場合がある。
【産業上の利用可能性】
【００３０】
本考案手段による食品等の包装袋における開口部の開放装置は、袋体の内部に装入してファスナーにより密封状態に収容する包装の対象物が、機械部品等の無機物であっても、適用され得るものである。
【符号の説明】
【００３１】
Ａ    従来手段により構成せる包装袋
Ｂ    包装袋Ａの上辺側に形成せる開口部
Ｄ    本考案手段を実施せる包装袋の袋体の外面側に装設せる襞
Ｄ’  別体のシートに形成した襞
Ｓ    本考案手段を実施せる包装袋
ａ    表面側シート
ｂ    裏面側シート
ｃ    中空の袋体の左右の側辺及び底辺の端縁部をシールする接着端縁
ｄ    袋体の上辺側の端縁をシールする接着端縁
ｆ    ファスナー
ｇ    別のシート
１    中空の袋体
２    縦断面が凹型の雌型の係合突条
２０    同上の雌型の係合突条の外面側に形設せる凹溝
３    縦断面が凸型の雄型の係合突条
３０    同上の雄型の係合突条の外面側に形設せる突起
４０    根元部
４１    先端側
【図１】
0003205634.tif 000003
【図２】
0003205634.tif 000004
【図３】
0003205634.tif 000005
【図４】
0003205634.tif 000006
【図５】
0003205634.tif 000007
【図６】
0003205634.tif 000008
【図７】
0003205634.tif 000009
【図８】
0003205634.tif 000010
【図９】
0003205634.tif 000011
【図１０】
0003205634.tif 000012
【図１１】
0003205634.tif 000013
【図１２】
0003205634.tif 000014
【図１３】
0003205634.tif 000015
【図１４】
0003205634.tif 000016